(57)【要約】【目的】この発明は、今日の常用食となっているカップ麺に代表されるカップ食品を身体に安全で美味しく食するためのカップ麺の移し替え加熱方法と専用の陶磁器カップに関するものである。【構成】市販されているカップ麺の発泡ポリスチレン素材のカップとほぼ同形状で同容量の陶磁器製のカップ本体１と、それに被せる陶磁器製の密閉用蓋２を組合せ、カップ本体１の内面に、麺等を加熱するお湯の適量であるお湯入れ位置３を有した基本構成で、カップの麺を移し替える専用容器としてお湯を入れて麺を加熱する方法を特徴とするし、またカップ本体１の側面に握り手４、フォーク掛け部６を有することもあるし、フォーク５や加熱時間計測器を組み合わせることがあるし、陶磁器カップの素材にトルマリン石を組合せ、カップ本体１の内部の表面にトルマリン石が露出した構成とすることもある。【選択図】図１
2004141577.tif 000002
【特許請求の範囲】
【請求項１】
市販されているカップ麺の発泡ポリスチレン素材のカップとほぼ同容量の陶磁器製のカップ本体１に、それに被せる陶磁器製の密閉用蓋２を有し、カップ本体１の内面に、麺を加熱するお湯の適量であるお湯入れ位置３を有した陶磁器製カップの基本構成で、カップの麺を移し替える専用容器としてお湯を入れて麺を加熱する方法を特徴とするカップ麺用の陶磁器カップ。
【請求項２】
陶磁器製のカップ本体１の側部に握り手４を有し、且つフォーク５をセットするフォーク掛け部６を有することもあり、フォーク５や砂時計・タイマーなどの加熱時間計測器を組み合わせることがある請求項１のカップ麺用の陶磁器カップ。
【請求項３】
陶磁器カップの陶土などの素材にトルマリン石を組合せ、トルマリン石の基本成分が変化しない千三百度以下の温度で窯で焼き、トルマリン石自体がカップ本体１の内部表面に露出した構成とすることを特徴としたカップ麺用の陶磁器カップ。
【発明の詳細な説明】
【０００１】
【発明の属する技術分野】
この発明は、今日の常用食となっているカップ麺に代表されるカップ食品を身体に安全で美味しく食するためのカップ麺の移し替え加熱方法と専用の陶磁器カップに関するものである。
【０００２】
【従来の技術】
従来、カップ麺のカップ素材は９５％が発泡ポリスチレンであって、手に持つた際に火傷しない、麺を熱湯で加熱の際に保温性が良い、使い捨てが出来る素材など実用性と利便性の追求を基本した技術であった。
【０００３】
【発明が解決しようとする課題】
今日、多くの人達の常用食であるカップ麺に代表されるカップ食品用カップの素材は殆どが発泡ポリスチレンを使用しており、熱湯を入れることにより環境ホルモンであるスチレン・ダイマーやスチレン・トリマーが溶けだし、精子の数の減少など身体に悪影響を及ぼしていると言われており、特に将来を担い成長期にある子供達には重要な課題であった。
【０００４】
【問題を解決するための手段】
いまその課題を解決するための構成を図面により説明にすれば、
（イ）市販されているカップ麺の発泡ポリスチレン素材のカップとほぼ同容量の陶磁器製のカップ本体１と、それに被せて密閉する陶磁器製の密閉用蓋２を組合せ、カップ本体１の内面に、麺を加熱するお湯の適量であるお湯入れ位置３を有した基本構成で、発泡ポリスチレン素材のカップから麺を取り出し麺を移し替える専用容器としてお湯を入れて麺を加熱する方法。
（ロ）陶磁器製のカップ本体１の側部に握り手４を有し、且つフォーク５をセットするフォーク掛け部６をカップ本体１の側部に有することもあり、フォーク５や砂時計・タイマーなどの加熱時間計測器を組み合わせることがある。
（ハ）陶磁器カップ素材の陶土などにトルマリン石を組合せ、トルマリン石の成分変化のない千三百度以下程度の温度で窯で焼くし、トルマリン石自体がカップ本体１の内部表面に露出した構成とする。
【０００５】
【作用】
次に本発明の作用を述べると、
（イ）市販のカップ麺のカップから麺や具を取り出して陶磁器製のカップ本体１に移し替えます。
（ロ）熱湯をカップ本体１のお湯入れ位置３の位置まで入れます。
（ハ）カップ本体１に密閉用蓋２を被せて加熱し、麺が煮える迄待ちます。
（ニ）組み合わせた砂時計やタイマー等の加熱時間計測器により加熱時間を設定する場合もあります。
（ホ）麺が煮えたら密閉用蓋２を外して、カップ本体１や握り手４を持って、み合わせたフォーク５などを使って食します。
（ヘ）カップ本体１にお湯を入れ密閉用蓋２をセットすることによりカップ本体１内部の表面に露出したトルマリン石が加熱されマイナスイオンや遠赤外線を発生させてカップ麺を美味しくする作用であるし、マイナスイオンは化学物質を分解する作用があるとも言われており有効に作用する。特に保温性の良い陶磁器製のカップ本体１に密閉用蓋２を組合せ一定時間保温するし、カップ本体１内部の表面にトルマリン石を露出させた構成により熱湯を入れることでマイナスイオンと遠赤外線を効率よく発生させる作用である。
【０００６】
カップ本体１が陶磁器製であるため保温性が良く環境ホルモンが溶けだすこともなく身体に安全で、且つ美味しく作用する。
【０００７】
【発明の実施の形態】
具体実施例述べる、
（イ）カップ本体１の形状は市販されているカップ麺のカップ形状に類似し、カップ形、丼形などとする。
（ロ）カップ麺用の陶磁器カップを動物やお花や乗り物や各種キャラクターなどの子供向けの可愛いデザインとする。
（ハ）陶磁器カップ素材の陶土などに麦飯石を組合せる。
【０００８】
【発明の効果】
本発明による具体効果を列記すれば、
（イ）カップ本体１が陶磁器製であるため熱湯を入れた際に環境ホルモンであるスチレン・ダイマーやスチレン・トリマーが溶けだすこともなく、安全に食することができます、特に成長期にある子供達には大変有効です。
（ロ）カップ本体１や密閉用蓋２が陶磁器製であるため保温性が良く、麺などを効果的に加熱するため美味しく食することができます。
（ハ）カップ本体１の陶磁器は熱伝導が悪いため、カップ本体１の中に熱湯を入れた場合でも表面は熱くならず手で握っても安全で火傷の心配もなく、特に子供たちに有効です。
（ニ）握り手を有した構成にすれば、握り手を持ってお酒落感覚で食することができます。
（ホ）カップ麺を安全な陶磁器製の容器に移し替えてやる心遣いが親子のスキンシップを高め愛情を確認することができます。
（ヘ）カップ本体１内部の表面に露出したトルマリン石が熱湯により加熱されマイナスイオンや遠赤外線を発生させてカップ麺を美味しくするし、マイナスイオンは化学物質を分解すると言われており、より安全性を高めます。
【０００９】
本発明により、特に現在問題になっている環境ホルモンによる精子の減少など化学物質対応のための一手段として有効であり、少子化対応策などの一助にもなりえます、また保温性の良い陶磁器製やトルマリン石によるマイナスイオンや遠赤外線等により美味しいカップ麺を食べることもでき、健康で安全で明るく楽しい社会づくりに大きく貢献するものであります。
【図面の簡単な説明】
【図１】本発明請求項１の斜視図
【図２】本発明請求項２の斜視図
【図３】本発明請求項３の一部断面を含む斜視図
【符号の説明】
１はカップ本体　　　　２は密閉用蓋
３はお温入れ位置　　　４は握り手
５はフォーク　　　　　６はフォーク掛け部
７はトルマリン石
【図１】
2004141577.tif 000003
【図２】
2004141577.tif 000004
【図３】
2004141577.tif 000005